(57)【特許請求の範囲】
【請求項１】
複数本を長手方向に連続して被設置面に設置し、送り線で相互に電気的に接続する照明器具であって、
筐体と、
前記筐体の内部に配置される光源と、
前記筐体の両端部に設けられ、隣接する照明器具から独立して前記筐体を被設置面に固定するための固定部と、
前記筐体の長手方向の両端に形成される端面から、被設置面に対向する底面にかけて形成され、前記送り線を挿通させる通線部と、
を備え、
前記固定部は、前記筐体の長手方向の中心線に対して一方の側に、固着部が配置され、
前記通線部は、前記筐体の短手方向に前記筐体の前記固着部が配置される部分と並べて形成されることを特徴とする照明器具。
【請求項２】
請求項１に記載の照明器具であって、
前記固定部は、前記筐体の端面において、前記筐体の長手方向の中心線に対して一方の側に、前記筐体の長手方向に突出するとともに、固着部が配置される突起部が設けられており、
隣接する照明器具の前記突起部同士を前記筐体の短手方向に重複するように組み合わせて、長手方向に連続して被設置面に設置することを特徴とする照明器具。
【請求項３】
請求項１又は２のいずれか１項に記載の照明器具であって、
前記光源は複数の点光源からなり、
照明器具を長手方向に連続して設置した状態において、前記点光源の間隔が一定になるように前記点光源を配置したことを特徴とする照明器具。
【発明の詳細な説明】
【技術分野】
【０００１】
本発明は、複数本を長手方向に連続して設置する照明器具に関する。
【背景技術】
【０００２】
従来、例えば屋内の壁面や床面等に沿って複数本を長手方向に連続して設置し、壁面や床面の間接照明を行う照明器具が知られている（例えば、特許文献１参照。）。このような照明器具の光源としてＬＥＤが用いられているものも知られており、点光源であるＬＥＤ素子が照明器具の筐体内部に所定のピッチで複数配置されている。
【０００３】
この種の照明器具は、例えば壁面や床面に沿った被設置面上において長手方向に複数本連結され、ネジ等で固定される。複数本連結される照明器具のうち、一方の端に設置される照明器具には、電源線に接続されて電力が供給される。その他の照明器具には、隣接する照明器具同士が送り線で電気的に接続されることで電力が供給される。
【０００４】
従来の照明器具を複数本連結して被設置面に設置する施工の一例について、図を用いて説明する。図１０は、従来の照明器具の平面図である。図１０Ａに示すように、端にある第１の照明器具１１１ａには電源線Ｌ１が接続される。一端側はネジ１１９で被設置面に固定される。他端側には、第１の照明器具１１１ａと第２の照明器具１１１ｂを連結するための連結金具Ｊ１が差し込まれる。連結金具Ｊ１をネジ１１９で被設置面に固定することで第１の照明器具１１１ａの他端側が固定される。
【０００５】
第２の照明器具１１１ｂは、第１の照明器具１１１ａと送り線（図示せず）で接続され、第１の照明器具１１１ａに差し込まれた連結金具Ｊ１に一端側が差し込まれる。連結金具Ｊ１で第１の照明器具１１１ａと第２の照明器具１１１ｂが連結されることにより、第２の照明器具１１１ｂの一端側が固定される。第２の照明器具１１１ｂの他端側には、第２の照明器具１１１ｂと第３の照明器具１１１ｃを連結するための連結金具Ｊ２が差し込まれる。連結金具Ｊ２をネジ１１９で被設置面に固定することで第２の照明器具１１１ｂの他端側が固定される。
【０００６】
第３の照明器具１１１ｃ以降は、第２の照明器具１１１ｂと同様に施工していき、第１の照明器具１１１ａの反対側の端に位置する第ｎ番目の照明器具１１１ｎは、端部に連結金具を差し込まずに、ネジ１１９で端部を被設置面に固定する。
【０００７】
このように、連結金具Ｊを用いて隣接する照明器具同士を連結していくことにより、ネジ１１９の使用本数を減らすことができ、少ない手数で複数の照明器具の施工を行うことができる。
【先行技術文献】
【特許文献】
【０００８】
【特許文献１】特開２００８―３００２４２号公報
【発明の概要】
【発明が解決しようとする課題】
【０００９】
しかしながら、上記従来の照明器具は、設置時の施工性は比較的良好であるが、故障した照明器具を交換する場合等、メンテナンス時の施工性が低いという問題がある。
【００１０】
例えば、図１０において、第３の照明器具１１１ｃに不具合が生じ、取り外して交換する場合を考える。第３の照明器具１１１ｃを取り外す場合、第３の照明器具１１１ｃは連結金具Ｊ２によって隣接する第２の照明器具１１１ｂと第４の照明器具（図示せず）と連結されているため、第２の照明器具１１１ｂと第４の照明器具のいずれか一方を取り外して長手方向にずらさないと第３の照明器具１１１ｃを取り外すことができない。また、第２の照明器具１１１ｂは第１の照明器具１１１ａに接続されているため、第２の照明器具１１１ｂを取り外すには第１の照明器具１１１ａも取り外さなくてはならない。このように、複数本連続して設置された照明器具のうち、中間部にある照明器具を取り外すには、端から全ての照明器具を取り外さなければならないという問題がある。
【００１１】
また、連結金具を用いて隣接する照明器具を連結するため、隣接する照明器具を近づけて設置できないという問題もある。隣接する照明器具を近づけて設置できないと、ＬＥＤのピッチを一定距離以下にできないという問題、あるいは配光性が低下するという問題が生じる。
【００１２】
つまり、ＬＥＤは基板の設計上、照明器具の端部に一定距離以上寄せることができない。また、上記従来の照明器具では連結部に連結金具が介在する。このため、照明器具を連結した場合に、照明器具の連結部を跨いだＬＥＤのピッチを短くするには限界がある。例えば、照明器具の連結部を跨いだＬＥＤのピッチの最小値（限界ピッチ）が７０ｍｍであるとすると、連結された照明器具全体でＬＥＤのピッチを均一にする場合には、それぞれの照明器具内部でのＬＥＤのピッチも７０ｍｍ以下にすることができない。つまり、ＬＥＤのピッチを均一にしようとすると、ＬＥＤのピッチを限界ピッチより短くすることができないという制限がある。
【００１３】
一方、照明器具の照度を上げるため、照明器具内部でのＬＥＤのピッチを限界ピッチより短くせざるを得ない場合がある。上記の例で、例えば、照明器具内部でのＬＥＤのピッチを５０ｍｍにしたとする。しかし、限界ピッチは７０ｍｍのままであるので、連結された照明器具全体でＬＥＤのピッチを一定にすることができない。ＬＥＤのピッチが一定でないと照度が均一とならず、配光性が低下する。
【００１４】
このように、連結金具を用いて隣接する照明器具を連結すると、ＬＥＤの限界ピッチが長くなる問題があり、照明器具内部でのＬＥＤのピッチを限界ピッチより短くした場合には、複数の照明器具を連結した場合の配光性が低下するという問題がある。
【００１５】
また、連結金具を用いるため、部品点数が多くなるという問題もある。
【００１６】
本発明は、上記課題を解決すべくなされたものである。第１の目的は、隣接する照明器具を取り外すことなく、単独で取り外しが可能な照明器具を提供することである。第２の目的は、照明器具の接続部における点光源の限界ピッチを短くすることが可能な照明器具を提供することである。第３の目的は、部品点数を少なくした照明器具を提供することである。
【課題を解決するための手段】
【００１７】
本発明の解決しようとする課題は以上の如くであり、次にこの課題を解決するための手段を説明する。
【００１８】
即ち、第１の発明は、複数本を長手方向に連続して被設置面に設置し、送り線で相互に電気的に接続する照明器具であって、筐体と、光源と、固定部と、通線部とを備える。光源は、筐体の内部に配置される。固定部は、筐体の両端部に設けられ、隣接する照明器具から独立して筐体を被設置面に固定する。通線部は、筐体の長手方向の両端に形成される端面から、被設置面に対向する底面にかけて形成され、送り線を挿通させる。固定部は、筐体の長手方向の中心線に対して一方の側に、固着部が配置される。通線部は、前記筐体の短手方向に前記筐体の前記固着部が配置される部分と並べて形成される。
【００１９】
第２の発明は、第１の発明であって、固定部は、筐体の端面において、筐体の長手方向の中心線に対して一方の側に、筐体の長手方向に突出するとともに、固着部が配置される突起部が設けられており、隣接する照明器具の突起部同士を筐体の短手方向に重複するように組み合わせて、長手方向に連続して被設置面に設置する。
【００２０】
第３の発明は、第１又は第２のいずれかの発明であって、光源は複数の点光源からなり、照明器具を長手方向に連続して設置した状態において、点光源の間隔が一定になるように点光源を配置する。
【発明の効果】
【００２１】
本発明の効果として、以下に示すような効果を奏する。
【００２２】
第１の発明によれば、筐体の両端部に設けられ、隣接する照明器具から独立して筐体を被設置面に固定するための固定部を備えている。このため、複数本連続して設置された照明器具のうち、中間部にある照明器具を取り外す場合に、当該照明器具の固定部における固定を解除すれば、照明器具を取り外すことが可能となる。また、筐体の長手方向の両端に形成される端面から、被設置面に対向する底面にかけて形成され、送り線を挿通させる通線部を備えている。このため、照明器具を取り外す場合に、当該照明器具を隣接する照明器具に対して動かしていくに従い、当該照明器具に接続された送り線は通線部内を端面側から底面側に移動し、隣接する照明器具との間で送り線が干渉することがない。よって、複数本連続して設置された照明器具のうち、中間部にある照明器具を取り外す場合であっても、端から全ての照明器具を取り外す必要がなく、単独で取り外すことができる。また、連結金具を用いないため、部品点数を少なくすることができる。
【００２３】
第２の発明によれば、固定部は、筐体の端面において、筐体の長手方向の中心線に対して一方の側に、筐体の長手方向に突出するとともに、固着部が配置される突起部が設けられており、隣接する照明器具の突起部同士を筐体の短手方向に重複するように組み合わせて、長手方向に連続して被設置面に設置する。このため、連結金具を用いて照明器具を連結する場合と比較して連結部における光源の間隔を短くすることができる。更に、隣接する照明器具の固定部同士を突き合わせて設置する場合と比較しても、固定部の突起部同士を筐体の短手方向に重複させる分、連結部の長さを短くすることができ、連結部における光源の間隔を短くすることができる。
【００２４】
第３の発明によれば、照明器具を長手方向に連続して設置した状態において、点光源の間隔が一定になるように点光源を配置しているため、連結された照明器具全体で照度が均一となり、配光性が向上する。
【図面の簡単な説明】
【００２５】
【図１】本発明の実施例１に係る照明器具１１の斜視図。
【図２】照明器具１１を長手方向に連続させた斜視図。
【図３】図１の３−３線における断面図。
【図４】端板部３１とエンドキャップ４１を器具主体２１に取り付ける状態を示す斜視分解図。
【図５】エンドキャップ４１の（Ａ）内側、（Ｂ）外側の斜視図。
【図６】ＬＥＤ素子８２のピッチを示す側面図。
【図７】照明器具１１を長手方向に連続させた状態での（Ａ）長手方向中心線における断面図、（Ｂ）平面図、（Ｃ）底面図。
【図８】照明器具１１を長手方向に連続させた状態で、照明器具１１を取り外す状態を説明する側面図。
【図９】本発明の実施例２に係る照明器具１１を長手方向に連続させた状態を示す平面図。
【図１０】従来の照明器具１１１を説明する平面図。
【発明を実施するための形態】
【００２６】
次に、発明の実施の形態について図を用いて説明する。
【実施例１】
【００２７】
本発明の実施例１に係る照明器具１１について、図１から図８を用いて説明する。図１に示すように、実施例１の照明器具１１の形状は、短手方向の長さに対して長手方向の長さの比率が大きい細長い略直方体である。照明器具１１は、壁面や床面等に沿った被設置面Ｗに単独で設置されたり、図２に示すように、複数本を長手方向に連続して設置される。複数本の照明器具１１を連続して設置する場合は、一方の端に設置される照明器具１１には、電源線Ｌ１に接続されて電力が供給される。その他の照明器具１１には、隣接する照明器具１１同士が送り線Ｌ２で電気的に接続されることで電力が供給される。照明器具１１を設置する向きは特に制限されず、光を上向き、下向き、横向き、いずれの方向に照射するように設置してもよい。以下の説明では、被設置面Ｗに対向する面を底面とし、その反対側である光を照射する側の面を上面とする。
【００２８】
照明器具１１は、図１、３に示すように、筐体１２、光源部１３、点灯装置１４、端子台１５を有している。筐体１２は、器具主体２１、端板部３１、エンドキャップ４１、底板部６１、セード７１を有している。器具主体２１、端板部３１及び底板部６１は、熱伝導性を有するアルミニウム等の金属素材を用いて形成されている。図４に示すように、器具主体２１は、断面形状が略Ｈ字型の押し出し材で形成されており、横板部２２と横板部２２の両側に形成される側板部２３を有している。器具主体２１の横板部２２の上方、下方は開放されており（開放部２７、２８）、両端部も開放されている。側板部２３の上部には、セード７１を差し込んで保持させる上部溝部２４が対向して形成され、両側の側板部２３の下部には、底板部６１を保持する突条２５が対向して形成されている。横板部２２の下部の両側には、端板部３１をネジ３７で取り付けるためのネジ取付部２６が形成されている。
【００２９】
図３、図４に示すように、端板部３１とエンドキャップ４１は、器具主体２１の両端部に取り付けられて、器具主体２１の両端部の開放された部分を閉塞するものである。また、端板部３１とエンドキャップ４１は、筐体１２を被設置面Ｗに固定する固定部１７を構成するとともに、電源線Ｌ１あるいは送り線Ｌ２を挿通させる通線部１８を構成する。端板部３１とエンドキャップ４１は、器具主体２１の両端部に取り付けられるため、１本の照明器具１１について２組用いられるが、両端部に共通の端板部３１とエンドキャップ４１を用いるため、端板部３１とエンドキャップ４１はそれぞれ１種類である。
【００３０】
図４Ａに示すように、端板部３１は、器具主体２１の端部を閉塞する端板主体３２と、端板主体３２の下部から突出する取付部３４と、切欠部３６とを備えている。端板主体３２には、端板部３１を器具主体２１にネジ３７で取り付けるための貫通孔３３が形成されている。取付部３４には、筐体１２を被設置面Ｗに固着部としてのネジ１９で固定するための貫通孔３５が形成されている（図４Ｃ参照。）。取付部３４の幅は、端板部３１を器具主体２１に取り付けた状態で、器具主体２１の長手方向の中心線に対して一方の側に偏在するように設定される。本実施例では、取付部３４の幅は、器具主体２１の短手方向の長さの略半分に設定されている。
【００３１】
端板部３１の切欠部３６は、電源線Ｌ１あるいは送り線Ｌ２を挿通させる通線部１８を構成するものであり（図４Ｃ参照。）、端子台１５に接続される電源線Ｌ１あるいは送り線Ｌ２を挿通できる形状を有している。切欠部３６は、端板部３１を器具主体２１に取り付けた状態で、器具主体２１の長手方向の中心線に対して前述した取付部３４の反対側に偏在するように形成される。本実施例では、切欠部３６の幅は、器具主体２１の短手方向の長さの略半分に設定されている。切欠部３６は、少なくとも下方が開放され、端板部３１を器具主体２１に取り付けた状態で、器具主体２１の下部の開放部２８と切欠部３６とが連通するように形成される。
【００３２】
図４、図５に示すように、エンドキャップ４１は、器具主体２１の両端に取り付けられて筐体１２の端面（妻面）を構成するものである。エンドキャップ４１は、端面部４２、上面部４３、側面部４４、下面部４５を有している。エンドキャップ４１の上面部４３と下面部４５は、器具主体２１に取り付けた状態で、それぞれ器具主体２１の上部と下部に対して面一となり、側面部４４は、器具主体２１の側板部２３と面一になるように構成されている。器具主体２１に取り付けられる側は開放されている。
【００３３】
エンドキャップ４１の下面部４５は、エンドキャップ４１を器具主体２１に取り付けた状態で、端板部３１の取付部３４の下部に配置されるように形成されており、取付部３４の貫通孔３５に対応する位置にＵ字形の切欠部４６が形成されている。下面部４５の幅は、エンドキャップ４１を器具主体２１に取り付けた状態で、器具主体２１の長手方向の中心線に対して一方の側に偏在するように設定される。
【００３４】
エンドキャップ４１の上面部４３には、取付孔４７が設けられている。取付孔４７はエンドキャップ４１を器具主体２１に取り付けた状態で、端板部３１の取付部３４に形成した貫通孔３５の上方となる位置に設けられている。エンドキャップ４１の内側には、ネジ挿通部４８が設けられている。ネジ挿通部４８は、内部にネジ１９を挿通できるように空間が形成されており、取付孔４７の内側の周囲から下面部４５の切欠部４６に向けて形成されている。ネジ挿通部４８の下端部と下面部４５との間には、端板部３１の取付部３４を差し込むことのできる幅の空間が確保されている。
【００３５】
図５Ａに示すように、エンドキャップ４１の端面部４２には、切欠部５０を形成できるように切取り用溝４９が形成されている。切取り用溝４９は、エンドキャップ４１を器具主体２１に取り付けた状態で、端板部３１の切欠部３６と同じ側に形成されている。切取り用溝４９に沿って端面部４２の一部を切り取ることにより、図５Ｂに示すように、切欠部５０が形成される。エンドキャップ４１の切欠部５０は、端板部３１の切欠部３６とともに電源線Ｌ１あるいは送り線Ｌ２を挿通させる通線部１８を構成するものであり、端子台１５に接続される電源線Ｌ１あるいは送り線Ｌ２を挿通できる形状を有している。切欠部５０の幅は、器具主体２１の短手方向の長さの半分よりも長く設定されている。つまり、エンドキャップ４１を器具主体２１に取り付けた状態で器具主体２１の長手方向の中心線を越えて下面部４５側まで切り欠かれるようにしている。切欠部５０は、少なくとも下方が開放され、エンドキャップ４１を器具主体２１に取り付けた状態で、器具主体２１の下部の開放部２８及び端板部３１の切欠部３６と連通するように形成される。
【００３６】
尚、エンドキャップ４１に電源線Ｌ１又は送り線Ｌ２を挿通させる必要がない箇所では、エンドキャップ４１に切欠部５０を形成する必要はない。すなわち、照明器具１１を単独で設置する場合、及び複数本を長手方向に連続して設置する場合において、電源線Ｌ１が接続される側と反対側の端部には、エンドキャップ４１に電源線Ｌ１又は送り線Ｌ２を挿通させる必要がない。また、電源線Ｌ１を端面側からではなく底面側から引き込む場合にもエンドキャップ４１に切欠部５０を形成する必要がない。このような場合は、エンドキャップ４１に切欠部５０を形成せず、そのまま器具主体２１に取り付ければよい。
【００３７】
図３に示すように、底板部６１は、器具主体２１の下部の開放部２８の一部を閉塞するものである。底板部６１は薄い板状部材で形成されている。底板部６１は器具主体２１の下方に被せて突条２５に当接させる。底板部６１の両端部は折り曲げられており、ネジ６２で器具主体２１の横板部２２に固定される。底板部６１は、器具主体２１の長手方向の長さよりも短く、器具主体２１に取り付けられた状態で、器具主体２１の下部の開放部２８のうち、両端側は閉塞せずに開放された状態としている。この器具主体２１の両端部の下部の開放部２８は、エンドキャップ４１の切欠部５０及び端板部３１の切欠部３６とともに電源線Ｌ１あるいは送り線Ｌ２を挿通させる通線部１８を構成するものである。
【００３８】
セード７１は、器具主体２１の上部の開放部２７を閉塞し、光源部１３からの光を透過させて、照射面を形成する部材である。セード７１は、透光性を有する半透明のアクリル樹脂素材等で形成され、器具主体２１の上部溝部２４の端部から差し込んで保持される。
【００３９】
端子台１５は、外部電源からの電源線Ｌ１又は、隣接する照明器具１１からの送り線Ｌ２の端子が差込口に差し込まれて電気的に接続されるものである。端子台１５は、器具主体２１の横板部２２の下部において、器具主体２１の両端側に２個設けられる。端子台１５の差込口はそれぞれ器具主体２１の端部側に向けられている。
【００４０】
点灯装置１４は、光源部１３のＬＥＤ素子８２を点灯させるものである。点灯装置１４は、器具主体２１の横板部２２の下部に配置されている。点灯装置１４は、端子台１５と電線１５ａによって電気的に接続されている。
【００４１】
光源部１３は、基板８１及び点光源としての複数のＬＥＤ素子８２を有しており、器具主体２１の横板部２２の上部に配置される。光源部１３と点灯装置１４は、電線（図示せず）によって電気的に接続されている。ＬＥＤ素子８２は、照明器具１１を長手方向に連続して設置した状態において、ピッチが一定になるように基板８１上に配置されている。つまり、図６に示すように、隣接する照明器具１１ａ、１１ｂの端部を跨いだＬＥＤ素子８２のピッチがＰ１であるとし、それぞれの照明器具１１内部でのＬＥＤ素子８２のピッチをＰ２であるとしたときに、Ｐ１とＰ２が等しくなるようにＬＥＤ素子８２を配置している。
【００４２】
連続する照明器具１１ａ、１１ｂ全体でＬＥＤ素子８２のピッチを均一にするために、第１の照明器具１１ａの端部からＬＥＤ素子８２までの距離Ｄ１と、第２の照明器具１１ｂの端部からＬＥＤ素子８２までの距離Ｄ２と、第１の照明器具１１ａと第２の照明器具１１ｂを設置する際の隙間Ｄ３とを加えた値がＰ１となるように、距離Ｄ１、距離Ｄ２、隙間Ｄ３を設定する。尚、距離Ｄ１、距離Ｄ２は必ずしも等しい値である必要はない。
【００４３】
このように、照明器具１１を長手方向に連続して設置した状態において、ＬＥＤ素子８２のピッチが一定になるようにＬＥＤ素子８２を配置しているため、連結された照明器具１１全体で照度が均一となり、配光性が向上する。
【００４４】
次に、複数の照明器具１１ａから１１ｎを長手方向に連続して被設置面Ｗに設置する手順について説明する。まず、複数の照明器具１１ａから１１ｎのうち、一端側に設置される照明器具１１ａの施工を行う。照明器具１１ａの一方の端子台１５には、電源線Ｌ１の端子を接続する。電源線Ｌ１に接続された照明器具１１ａの他方の端子台１５には、次に隣に施工する照明器具１１ｂに接続するための送り線Ｌ２の端子を接続する（図７参照。）。
【００４５】
続いて、電源線Ｌ１に接続された照明器具１１ａの器具主体２１の両端部に、固定部１７を構成する端板部３１とエンドキャップ４１を取り付ける。セード７１及び底板部６１はすでに器具主体２１に取り付けられているものとし、図４Ａ、図４Ｂに示すように、端板部３１を器具主体２１にネジ３７で取り付ける。端板部３１を器具主体２１に取り付けた後、図４Ｃに示すように、エンドキャップ４１を器具主体２１に取り付ける。このとき、エンドキャップ４１の内側に形成されるネジ挿通部４８の下端部と下面部４５との間の隙間に、端板部３１の取付部３４を差し込むようにする。尚、エンドキャップ４１は予め端面部４２の切取り用溝４９に沿って端面部４２の一部を切り取って切欠部５０を形成しているものとする。そして、一方の側の電源線Ｌ１と他方の側の送り線Ｌ２をそれぞれ通線部１８に挿通させ、照明器具１１ａを設置すべき位置に配置する。固着部としてのネジ１９をエンドキャップ４１の取付孔４７から挿入してねじ込むことで、エンドキャップ４１の下面部４５と端板部３１の取付部３４がネジ１９で締め付けられ、エンドキャップ４１と端板部３１とが固定されるとともに、照明器具１１ａが被設置面Ｗに固定される。
【００４６】
次に、照明器具１１ａに隣接する照明器具１１ｂの施工を行う。先に施工した照明器具１１ａの送り線Ｌ２の端子を照明器具１１ｂの一方の端子台１５に接続し、照明器具１１ａと照明器具１１ｂを電気的に接続する。照明器具１１ｂの他方の端子台１５には次に隣に施工する照明器具１１ｃに接続するための送り線Ｌ２の端子を接続する。照明器具１１ｂの器具主体２１の両端部には、照明器具１１ａと同様に固定部１７を構成する端板部３１とエンドキャップ４１を取り付ける。図７に示すように、両端部の送り線Ｌ２をそれぞれ通線部１８に挿通させ、照明器具１１ｂを設置すべき位置に配置する。このとき、隣接する照明器具１１ａ、１１ｂの端部同士をわずかな隙間をおいて対向させるが、エンドキャップ４１の切欠部５０の幅は、器具主体２１の短手方向の長さの半分よりも長く設定されている。つまり、エンドキャップ４１を器具主体２１に取り付けた状態で器具主体２１の長手方向の中心線を越えて切り欠かれるようにしている。このため、対向させたエンドキャップ４１の切欠部５０が中央付近で重複し、それぞれの通線部１８が連通するため、照明器具１１ａと照明器具１１ｂとの間で送り線Ｌ２を挿通させることができる。以下、照明器具１１ｂに隣接して設置する照明器具１１ｃから１１ｎについても同様の手順により施工を行う。
【００４７】
続いて、上記のように設置された複数の照明器具１１ａから１１ｎのうち、中間部に設置した照明器具１１ｂを取り外す手順について図８を用いて説明する。照明器具１１ｂは、両端部に固定部１７が設けられており、照明器具１１ｂは、隣接する照明器具１１ａ及び照明器具１１ｃ（図示せず）から独立して被設置面Ｗに固定されている。このため、中間部にある照明器具１１ｂを取り外す場合には、図８Ａに示すように、当該照明器具１１ｂの両端部を固定しているネジ１９を外せば、照明器具１１ｂを取り外すことが可能となる。
【００４８】
また、筐体１２の長手方向の両端に形成される端面から、被設置面Ｗに対向する底面にかけて、エンドキャップ４１の切欠部５０、端板部３１の切欠部３６、及び器具主体２１の両端部の下部の開放部２８により、送り線Ｌ２を挿通させる通線部１８が構成されている。このため、中間部の照明器具１１ｂを取り外す場合に、当該照明器具１１ｂを隣接する照明器具１１ａ及び照明器具１１ｃに対して動かしていくに従い、図８Ｂに示すように、当該照明器具１１ｂに接続された送り線Ｌ２は通線部１８内を端面側から底面側に移動し、隣接する照明器具１１ａ及び照明器具１１ｃ（図示せず）との間で送り線Ｌ２が干渉することがない。よって、複数本連続して設置された照明器具１１ａから１１ｎのうち、中間部にある照明器具１１ｂを取り外す場合であっても、端から全ての照明器具１１を取り外す必要がなく、単独で取り外すことができる。
【実施例２】
【００４９】
次に、本発明の実施例２に係る照明器具１１について、図９を用いて説明する。実施例２では、エンドキャップ４１に突起部５１が設けられ、この突起部５１に固着部としてのネジ１９を配置する点が実施例１とは大きく異なっている。実施例１と同一部分は同一符号を付して詳しい説明は省略する。
【００５０】
図９に示すように、エンドキャップ４１は、器具主体２１に取り付けた状態で、器具主体２１の長手方向の中心線に対して一方の側に、器具主体２１の長手方向に突出する突起部５１が設けられている。突起部５１にはネジ１９を配置するための取付孔４７が形成されている。これを換言すると、実施例２のエンドキャップ４１の形状は、実施例１のエンドキャップ４１の端面部４２において、取付孔４７が形成されている側と反対側の部分に、器具主体２１の長手方向に窪んだ段部５２を形成した形状である。
【００５１】
突起部５１の幅は、エンドキャップ４１を器具主体２１に取り付けた状態で、器具主体２１の長手方向の中心線に対して一方の側に偏在するように設定される。また、エンドキャップ４１の端面部４２には、実施例１と同様に切欠部５０を形成できるように切取り用溝４９が形成されている。切取り用溝４９は、エンドキャップ４１を器具主体２１に取り付けた状態で、端板部３１の切欠部５０と同じ側に形成されている。切欠部５０の幅は、器具主体２１の短手方向の長さの半分よりも長く設定され、突起部５１との境界付近まで形成されている。つまり、エンドキャップ４１を器具主体２１に取り付けた状態で器具主体２１の長手方向の中心線を越えて下面部４５側まで切り欠かれるようにしている。
【００５２】
次に、実施例２の照明器具１１を長手方向に連続して被設置面Ｗに設置する手順について説明する。複数の照明器具１１ａから１１ｎを電源線Ｌ１及び送り線Ｌ２を用いて電気的に接続する手順については実施例１と同様であるため、説明を省略する。
【００５３】
実施例２の照明器具１１では、エンドキャップ４１に突起部５１が形成されているため、隣接する照明器具１１ａと照明器具１１ｂを被設置面Ｗに配置する際に、隣接する照明器具１１ａと照明器具１１ｂの突起部５１同士を照明器具１１ａと照明器具１１ｂの短手方向に重複するように組み合わせて配置する。そして実施例１と同様に、固着部としてのネジ１９をエンドキャップ４１の取付孔４７から挿入してねじ込むことで、エンドキャップ４１の下面部４５と端板部３１の取付部３４がネジ１９で締め付けられ、エンドキャップ４１と端板部３１とが固定されるとともに、照明器具１１が被設置面Ｗに固定される。
【００５４】
このように、隣接する照明器具１１ａと照明器具１１ｂの突起部５１同士を照明器具１１ａと照明器具１１ｂの短手方向に重複するように組み合わせて配置することにより、隣接する照明器具１１ａと照明器具１１ｂの固定部１７同士を突き合わせて設置する場合と比較して、固定部１７の突起部５１同士を照明器具１１ａと照明器具１１ｂの短手方向に重複させる分、連結部の長さを短くすることができる。このため、連結部におけるＬＥＤ素子８２の限界ピッチを短くすることができる。
【００５５】
つまり、図９において、第１の照明器具１１ａの端部からＬＥＤ素子８２までの距離をＤ１１とし、第２の照明器具１１ｂの端部からＬＥＤ素子８２までの距離をＤ１２としたときに、突起部５１同士を照明器具１１ａと照明器具１１ｂの短手方向に重複させる分、ピッチＰは、距離Ｄ１１に距離Ｄ１２を加えた距離よりも小さくなる。つまり、隣接する照明器具１１の端部を跨いだＬＥＤ素子８２の限界ピッチＰは短くなる。
【００５６】
また、隣接する照明器具１１の突起部５１同士を照明器具１１の短手方向に重複するように組み合わせて配置することにより、複数の照明器具１１を設置する際の位置の目安となるため、照明器具１１を直線的に設置することが容易となる。
【００５７】
以上、本発明の実施の形態について説明したが、本発明は上記実施例に限定されるものではなく、様々な変更が可能である。例えば、照明器具１１、端板部３１、エンドキャップ４１等の形状は実施例に限定されない。
【００５８】
また、端板部３１、エンドキャップ４１は共通部品であり、光源部１３はユニットになっているため、器具主体２１を長くして、器具主体２１内に配置する光源部１３の数を増減させることにより、長さの異なる照明器具１１を容易に製造することができる。
【００５９】
以上説明した本発明の技術的範囲は、上記実施例に限定されるものではなく、上記実施例の形状に限定されない。
本発明の技術的範囲は、本明細書及び図面に記載した事項から明らかになる本発明が真に意図する技術的思想の範囲全体に、広く及ぶものである。
【符号の説明】
【００６０】
１１    照明器具
１２    筐体
１３    光源部
１４    点灯装置
１５    端子台
１５ａ  電線
１７    固定部
１８    通線部
１９    固着部としてのネジ
２１    器具主体
２２    横板部
２３    側板部
２４    上部溝部
２５    突条
２６    ネジ取付部
２７    開放部
２８    開放部
３１    端板部
３２    端板主体
３３    貫通孔
３４    取付部
３５    貫通孔
３６    切欠部
３７    ネジ
４１    エンドキャップ
４２    端面部
４３    上面部
４４    側面部
４５    下面部
４６    切欠部
４７    取付孔
４８    ネジ挿通部
４９    切取り用溝
５０    切欠部
５１    突起部
５２    段部
６１    底板部
６２    ネジ
７１    セード
８１    基板
８２    ＬＥＤ素子
Ｌ１    電源線
Ｌ２    送り線
Ｗ      被設置面
【図１】
0005599254.tif 000002
【図２】
0005599254.tif 000003
【図３】
0005599254.tif 000004
【図４】
0005599254.tif 000005
【図５】
0005599254.tif 000006
【図６】
0005599254.tif 000007
【図７】
0005599254.tif 000008
【図８】
0005599254.tif 000009
【図９】
0005599254.tif 000010
【図１０】
0005599254.tif 000011